(57)【特許請求の範囲】
【請求項１】
ディスクと、記録再生装置とを備え、
前記ディスクは、光ピックアップによって情報の記録再生が可能に構成され、該ディスクに固有に割り当てられたディスク識別情報が、ディスクに対する情報の記憶形態として記録され、さらに、前記ディスク識別情報は、前記情報の記憶形態と異なった形態で外部から視認可能にディスクに設けられ、
前記ディスクには、その中心に設けられた中心孔と、前記中心孔の外側に環状に延在するディスク保持用領域と、前記ディスク保持用領域の外側に環状に延在する情報記録に使用されないトランジション領域と、前記トランジション領域の外側に環状に延在する情報を記録するための情報記録領域とが形成され、
前記情報記録領域は、径方向内側に位置し情報が書き替え不能に記録される第１環状領域と、前記第１環状領域の径方向外側に位置し情報が書き替え可能に記録される第２環状領域とから構成され、
前記トランジション領域と、前記第１環状領域からなる環状領域とが第３環状領域として設定され、
前記ディスクに対する情報の記憶形態として記録された前記ディスク識別情報は、前記第３環状領域に、前記第２環状領域に対する情報の記録形態とは異なる記録形態として前記光ピックアップによって読み取り可能に記録され、
前記記録再生装置は、該記録再生装置に装填された前記ディスクにコンテンツと、前記コンテンツ毎に割り当てられたコンテンツ識別情報と、前記コンテンツの内容に関わる情報であるコンテンツ内容情報とを光ピックアップにより記録する記録手段と、前記ディスクに対する情報の記憶形態として記録された前記ディスク識別情報とコンテンツとコンテンツ識別情報とコンテンツ内容情報とを光ピックアップにより読み出して再生する再生手段と、再生手段によって再生された前記ディスク識別情報とコンテンツ識別情報とコンテンツ内容情報とを関連付けて格納する記憶手段と、前記記憶手段に記録されている前記ディスク識別情報とコンテンツ識別情報とコンテンツ内容情報とから情報を検索する検索手段とを備え、
前記コンテンツ識別情報とコンテンツ内容情報を生成する情報生成手段を設け、
前記記録手段は、前記情報生成手段から出力される前記コンテンツ識別情報とコンテンツ内容情報を前記ディスクに記録するように構成されている、
ことを特徴とする記録再生システム。
【請求項２】
前記第３環状領域へ記録されたディスク識別情報の記録形態は、前記コンテンツ識別情報および前記コンテンツ内容情報の記録形態と異なることを特徴とする請求項１記載の記録再生システム。
【請求項３】
前記第２環状領域のうち前記第１環状領域に接する径方向内側の領域はリードイン情報が記録可能なリードイン領域として構成され、前記第２環状領域のうち前記リードイン領域を除く領域は、コンテンツ情報が記録可能なデータ領域とリードアウト情報が記録可能なリードアウト領域から構成されていることを特徴とする請求項１記載の記録再生システム。
【請求項４】
前記コンテンツ識別情報と前記コンテンツ内容情報との記録は前記第２環状領域部分に行なわれることを特徴とする請求項１記載の記録再生システム。
【請求項５】
前記検索手段による情報の検索は、前記ディスク識別情報をキーにして前記コンテンツ識別情報とコンテンツ内容情報を検索するものであることを特徴とする請求項１記載の記録再生システム。
【請求項６】
前記検索手段による情報の検索は、前記コンテンツ内容情報をキーにして前記ディスク識別情報を検索するものであることを特徴とする請求項１記載の記録再生システム。
【請求項７】
前記検索手段によって検索された情報を表示する表示手段を設けたことを特徴とする請求項１記載の記録再生システム。
【請求項８】
前記情報生成手段は手動操作によって情報入力を行なう操作手段を備え、前記情報生成手段による前記コンテンツ内容情報の生成は前記操作手段に対する操作によって行なわれることを特徴とする請求項１記載の記録再生システム。
【請求項９】
前記コンテンツには、前記コンテンツを識別するコンテンツＩＤおよび前記コンテンツの内容に関する内容情報の少なくとも一方を含む付加情報が付加され、
前記情報生成手段は、前記コンテンツＩＤに基づく前記コンテンツ識別情報の生成および前記内容情報に基づく前記コンテンツ内容情報の生成の少なくとも一方を行なうことを特徴とする請求項１記載の記録再生システム。
【請求項１０】
前記コンテンツはＢＳデジタル放送あるいはＣＳデジタル放送あるいは地上波デジタル放送で放送される放送番組であり、前記付加情報は前記放送番組に対応して放送される電子プログラム情報であることを特徴とする請求項９記載の記録再生システム。
【請求項１１】
前記コンテンツは放送番組であり、コンテンツ内容情報は、前記放送番組の番組名、放送時間帯、放送時間、番組の概要、番組のキーワードを示す情報のうち少なくとも１つを含むことを特徴とする請求項１記載の記録再生システム。
【請求項１２】
前記コンテンツ内容情報は、文字、画像、音声の少なくとも１つの形態の情報を含むことを特徴とする請求項１記載の記録再生システム。
【発明の詳細な説明】
【０００１】
【発明の属する技術分野】
本発明は、コンテンツの記録と再生が可能なディスクのコンテンツの記録再生を行なうための記録再生システムに関する。
【０００２】
【従来の技術】
近年、ＤＶＤに代表される光ディスクや光磁気ディスクなどの大記憶容量のディスクにテレビ番組や音楽などのコンテンツを記録、再生することが実現されつつある。
【０００３】
【発明が解決しようとする課題】
このような大容量のディスクには、多くのコンテンツが記録可能である。したがって、どのディスクにどのコンテンツが記録されているかを見出すためには、いちいちディスクを記録再生装置に装填して再生してみる必要があり、煩雑で手間がかかるという問題がある。
そこで本発明の目的は、ディスクのコンテンツを再生することなく、どのようなコンテンツがどのディスクに記録されているかを容易に知ることが可能な記録再生システムを提供することにある。
【０００４】
【課題を解決するための手段】
前記目的を達成するため、本発明の記録再生システムは、ディスクと、記録再生装置とを備え、前記ディスクは、光ピックアップによって情報の記録再生が可能に構成され、該ディスクに固有に割り当てられたディスク識別情報が、ディスクに対する情報の記憶形態として記録され、さらに、前記ディスク識別情報は、前記情報の記憶形態と異なった形態で外部から視認可能にディスクに設けられ、前記ディスクには、その中心に設けられた中心孔と、前記中心孔の外側に環状に延在するディスク保持用領域と、前記ディスク保持用領域の外側に環状に延在する情報記録に使用されないトランジション領域と、前記トランジション領域の外側に環状に延在する情報を記録するための情報記録領域とが形成され、前記情報記録領域は、径方向内側に位置し情報が書き替え不能に記録される第１環状領域と、前記第１環状領域の径方向外側に位置し情報が書き替え可能に記録される第２環状領域とから構成され、前記トランジション領域と、前記第１環状領域からなる環状領域とが第３環状領域として設定され、前記ディスクに対する情報の記憶形態として記録された前記ディスク識別情報は、前記第３環状領域に、前記第２環状領域に対する情報の記録形態とは異なる記録形態として前記光ピックアップによって読み取り可能に記録され、前記記録再生装置は、該記録再生装置に装填された前記ディスクにコンテンツと、前記コンテンツ毎に割り当てられたコンテンツ識別情報と、前記コンテンツの内容に関わる情報であるコンテンツ内容情報とを光ピックアップにより記録する記録手段と、前記ディスクに対する情報の記憶形態として記録された前記ディスク識別情報とコンテンツとコンテンツ識別情報とコンテンツ内容情報とを光ピックアップにより読み出して再生する再生手段と、再生手段によって再生された前記ディスク識別情報とコンテンツ識別情報とコンテンツ内容情報とを関連付けて格納する記憶手段と、前記記憶手段に記録されている前記ディスク識別情報とコンテンツ識別情報とコンテンツ内容情報とから情報を検索する検索手段とを備え、前記コンテンツ識別情報とコンテンツ内容情報を生成する情報生成手段を設け、前記記録手段は、前記情報生成手段から出力される前記コンテンツ識別情報とコンテンツ内容情報を前記ディスクに記録するように構成されていることを特徴とする。
そのため、記録再生装置の記憶手段には、記録再生装置に装填されたディスクのディスクに固有に割り当てられたディスク識別情報と関連付けてコンテンツ識別情報、コンテンツ内容情報が記憶される。
したがって、検索手段によって、外部から視認できるディスク識別情報に基づいて記憶手段のコンテンツ識別情報およびコンテンツ内容情報を検索したり、コンテンツ内容情報に基づいて前記外部から視認できるディスク識別情報を検索することができる。
【０００８】
【発明の実施の形態】
以下、本発明の実施の形態を添付図面にしたがって説明する。
(光ディスクの構成)
光ディスクについて説明する。
図１は、本実施の形態におけるディスクの一例としての光ディスクの構成を示す斜視図、図２は本実施の形態における光ディスクの物理フォーマットを説明する概要図である。
図１、図２に示されているように、光ディスク１００は円板状の基体１００Ａを備え、基体１００Ａの中心に中心孔１０１が形成されている。
前記基体１００Ａの一方の面には環状の記録面１１０が形成され、この記録面１１０は、それぞれ半径方向内側から外側に向けて並べられた環状のディスク保持用領域１１１、トランジション領域１１３、情報記録領域１１４、リム領域１１５となっている。そして、前記情報記録領域１１４に対する情報の記録および再生は前記記録面１１０側から光ピックアップにより光ビームが照射されることによりなされる。
前記基体１００Ａの他方の面、すなわち記録面１１０と反対側の面には環状の面（以下基盤面という）１０３が形成されており、本例においてはこの基盤面１０３に後述するディスク識別情報が記録されるようになっている。また、前記基盤面は、オーディオＣＤやＣＤ−Ｒなどにおいて文字や画像などの印刷が施される側の面である。
【０００９】
前記ディスク保持用領域１１１は、光ディスク１００を周知のクランピング機構によってクランプするための領域であり、図２に示すように内周側に設けられているインナーエリア１１１Ａと、該インナーエリア１１１Ａの外周側に設けられているクランピングエリア１１１Ｂとから構成されている。
トランジション領域１１３は前記ディスク保持用領域１１１と情報記録領域１１４との間に形成されている部分であり、情報の記録がなされない領域である。リム領域１１５は情報記録領域１１４と光ディスク１００の外縁部１０２との間に形成されている部分であり、情報の記録がなされない領域である。
情報記録領域１１４は、光ディスク１００の径方向内側に形成されるエンボス領域（特許請求の範囲の第１環状領域に相当）１１４Ａと、エンボス領域の径方向外側に形成されるリライタブル領域（特許請求の範囲の第２環状領域に相当）１１４Ｂとから構成されている。上記トランジション領域１１３とエンボス領域１１４Ａとが特許請求の範囲の第３環状領域に相当している。
エンボス領域１１４Ａは、情報が書き替え不能に記録された領域であり、上記エンボス領域１１４Ａに対する情報の記録は、凹状のピットを成形加工で設けることによって行なわれる。この成形加工は、次に説明する図３（Ａ）、（Ｂ）の成形加工と同時に行なわれる。
上記エンボス領域１１４Ａには凹状のピットによって情報が記録されているため、この情報を書き換えることは不可能となっている。
【００１０】
リライタブル領域１１４Ｂは、光ディスク１００内でのアドレス情報を示すピット（成形加工によって設けられている）を含み、情報が書き替え可能な領域であり、上記リライタブル領域１１４Ｂに対する情報の記録は、ピックアップから照射される光ビームによってグルーブまたはランドの記録膜に結晶状態と非結晶状態によりピット状のパターンを形成することによって行なわれる。
【００１１】
情報記録領域１１４は、上記エンボス領域１１４Ａとリライタブル領域１１４Ｂによって構成されているが、情報記録領域１１４のフォーマットは図１、図２に示されているように、内周からリードイン領域１１４１、データ領域１１４２、リードアウト領域１１４３に区分されている。
リードイン領域１１４１は、エンボス領域１１４Ａの全てとリライタブル領域１１４Ｂのうちエンボス領域１１４Ａに隣接している一部とから構成されている。
このリードイン領域１１４１には、リードイン情報として、ディスク一般情報（例えば回転速度、ディスク種類、トラッキング情報など）、レーザパワー較正領域、欠陥管理情報などが記録されるようになっている。
リードアウト領域１１４３は、情報記録領域１１４の外周寄りの一部から構成され、リードアウト情報として欠陥管理情報などが記録されるようになっている。
データ領域１１４２は、情報記録領域１１４のうち、上記リードイン領域１１４１とリードアウト領域１１４３に挟まれた領域であり、コンテンツが書き替え可能に記録される領域である。
なお、本実施の形態において、前記の光ディスク１００は上述のように情報の書き替えが可能な相変化型光ディスクであり、この相変化型光ディスクは、その記録膜が結晶状態と非結晶質（アモルファス）状態とに可逆的に変化し、上記結晶状態と非結晶質（アモルファス）状態とで記録膜の反射率が変化することを利用して情報の記録再生を行なうように構成されている。
【００１２】
（光ディスクの製造）
つぎに、光ディスクの製造工程について説明する。
図３は本実施の形態におけるディスクの製造工程の説明図である。
まず、溶融したポリカーボネートをスタンパ１のついた金型に充填することによりＰＣ基板２（図１の基体１００Ａに相当）を射出成形する（図３（Ａ）、（Ｂ））。これにより、ＰＣ基板２にランド２Ａとグルーブ２Ｂを形成する。前述したように、スタンパ１には、前述したエンボス領域１１４Ａのピットやリライタブル領域１１４Ｂ内のピットを形成するための凸部が設けられており、この射出成形によって上記ピットが形成されるようになっている。
次いで、ＰＣ基板２上に相変化による記録が可能な記録膜３を形成し（図３（Ｃ））、記録膜３の上に保護層４を形成する。次いで、記録膜３にレーザビームを照射もしくは加熱することで記録膜５の初期化を行ない（図３（Ｅ））、これにより環状のディスク保持用領域１１１、クランピング領域１１２、トランジション領域１１３、情報記録領域１１４、リム領域１１５からなる記録面１１０を有する光ディスク１００が完成する。
【００１３】
（ディスクの特徴）
本発明では、上述のように構成された光ディスク１００毎に固有のディスク識別情報を割り当ててその光ディスク１００に記録するとともに、光ディスク１００に記録したディスク識別情報を該外部から視認可能に光ディスク１００の箇所に設ける点に特徴を有する。以下これについて説明する。
ディスク識別情報は、光ディスク１００毎に固有に割り当てられる情報であり、例えば一連の続き番号として順次生成してもよいし、ランダムな番号として生成してもよく、光ディスク１００毎に異なる情報であればよい。
また、ディスク識別情報は、数字またはアルファベットなどの文字の一方または双方の組み合わせによって構成することができる。
【００１４】
（第３環状領域へのディスク識別情報の形成）
図１を参照して光ディスク１００に対するディスク識別情報の記録について説明する。
ディスク識別情報は、光ディスク１００毎に固有に割り当てられる情報であるため、この光ディスク１００に対して記録再生を行なう記録再生装置に装填されたときに、この記録再生装置のピックアップによって読取り可能な形態で光ディスク１００に記録する必要がある。
また、情報記録領域１１４には書き替え不能な情報を記録するエンボス領域１１４Ａが設定されているが、このエンボス領域１１４Ａにピットを形成するにはスタンパが必要であり、光ディスク毎に異なるスタンパを用意することは現実的ではない。
したがって、ディスク識別情報は、情報記録領域１１４に対する情報の記録形態と異なる記録形態によって記録する必要がある。
このため、トランジション領域１１３とエンボス領域１１４Ａ（特許請求の範囲の第１環状領域に相当）とを、ディスク識別情報を記録する領域（特許請求の範囲の第３環状領域に相当）として使用する。
ディスク識別情報は、光ディスクの径方向に長さを有し、周方向に幅を有する矩形を複数個周方向に間隔をおいて形成することで記録し、複数個の矩形の周方向の間隔の疎密の組み合わせ、あるいは複数個の矩形の幅方向の寸法の大小の組み合わせによってディスク識別情報を表現する。上記矩形の形成は、次のような方法によって行なうことができる。
トランジション領域１１３とエンボス領域１１４Ａの部分にも相変化記録膜が設けられているため、矩形の形成は相変化記録膜に対するレーザビームの照射による相変化記録膜の相変化によって行なう。すなわちレーザーマーキング加工による記録である。
また、トランジション領域１１３とエンボス領域１１４Ａの部分も保護膜によって覆われているため、矩形の形成は上記保護膜の表面に対する印刷加工によって行なう。
あるいは、光ディスクが光磁気ディスクであった場合には、トランジション領域１１３とエンボス領域１１４Ａの部分にもアルミなどからなる反射膜が形成されている。このため、矩形の形成は反射膜に対するレーザビームの照射による反射膜の除去によって行なう。すなわちレーザートリミング加工による記録である。
また、トランジション領域１１３とエンボス領域１１４Ａの部分にエンボス加工によって矩形を形成してもよい。
このように形成された矩形は矩形以外の箇所と反射率が異なるため、ピックアップによる読取りが可能となる。
なお、ディスク識別情報を記録する領域としてトランジション領域１１３とエンボス領域１１４Ａの全体を使用するか、一部を使用するかは任意である。以下、本実施の形態では、トランジション領域１１３にディスク識別情報を記録するものとして説明する。
【００１５】
（視認可能な箇所に対するディスク識別情報の形成）
上記ディスク識別情報は、外部から視認可能な箇所にも設ける。外部から視認可能な箇所に設けるディスク識別情報の記録は、前記第３環状領域に対する情報の記録形態と異なる形態で行なう。
本例では、前記光ディスク１００の基盤面１０３にディスク識別情報を視認可能に設けており、図４、図５において符号２０２は外部から視認可能な箇所に設けたディスク識別情報を示している。
前記面１０３に記録するディスク識別情報は、ユーザーが所有する複数のディスク１００の中で重複することがなく、かつ、ユーザーが目視して簡単に識別できればよいので、例えば３、４桁程度の数字が表示されればよい。したがって、光ディスク１００に記録されているディスク識別情報のうち、下３桁か４桁を基盤面１０３に記録すれば実用的に差し支えはないものと考えられる。
すなわち、光ディスク１００のトランジション領域１１３の箇所に記録されるディスク識別情報がＮ桁の文字の組み合わせによって構成されているとすれば、前記基盤面１０３に設けられるディスク識別情報２０２は、Ｎ桁の文字の組み合わせのうち、最下位桁を含む下Ｍ桁（ただしＭ＜Ｎ）の文字の組み合わせで示されていればよい。
【００１６】
前記視認可能なディスク識別情報の形態は種々考えられ、例えば光ディスクに１００に記録して設けることも可能である。
図４はディスク識別情報を光ディスクに記録する工程の説明図である。
まず、前述した工程によって光ディスク１００が製造される（図４（Ａ））。
次いで、光ディスク１００に対して割り当てられたディスク識別情報を、光ディスク１００のトランジション領域１１３にレーザーマーキング装置Ｌによってレーザービームを照射することなどにより相変化記録膜に相変化を与えて記録する（図４（Ｂ））。
次いで、上記ディスク識別情報のうち、下４桁（例えば「１２３４」）からなるディスク識別情報２０２を光ディスク１００の基盤面１０３にレーザーマーキング装置Ｌによってレーザービームを照射することによって設ける（図４（Ｃ））。
なお、基盤面１０３に対するディスク識別情報の記録方法としては、彫刻、超音波ペンマーキング、エアペンマーキング、インクジェット印刷など任意の方法を採用することができる。
【００１７】
また、次のような工程により、ディスク識別情報２０２を基盤面１０３に設けることも可能である。
まず、光ディスク１００にディスク識別情報をレーザーマーキングあるいは加熱などの方法で記録する。
次いで、光ディスク１００のディスク識別情報をピックアップによって読み取り、読み取ったディスク識別情報に基づいて前述と同様にして基盤面１０３にディスク識別情報２０２をレーザーマーキングあるいは前述した任意の方法で設ける。
【００１８】
また、次のような工程により、ディスク識別情報２０２を基盤面１０３に設けることもできる。
まず、光ディスク１００に、ディスク識別情報をレーザーマーキングあるいは加熱などの方法で記録する。
次いで、光ディスク１００のディスク識別情報に基づいて前述と同様にして基盤面１０３にディスク識別情報２０２をレーザーマーキングあるいは前述した任意の方法で設ける。
すなわち、光ディスク１００からディスク識別情報を読み取る工程を省き、光ディスク１００にディスク識別情報を記録するとともに、そのディスク識別情報に基づいて基盤面１０３にディスク識別情報２０２を設けてもよい。
【００１９】
（記録再生システム）
次に、上述したディスク１００を記録再生する記録再生システムの構成について説明する。
図５は本実施の形態における記録再生システムの全体構成図、図６は本実施の形態における記録再生システムの構成を示すブロック図である。
図５、図６に示されているように、記録再生システム２０００は、ディスク１００、記録再生装置２１００、ディスプレイ２２００などから構成されている。
図６に示されているように、記録再生装置２１００は、筐体２１１０、筐体２１１０に設けられた電源スイッチ２１１２、操作部２１１４、ディスクトレイ２１１６、受信部２１１８、動作状態などを表示する表示部２１２０と、記憶手段２１２２とを備えている。前記操作部は、再生、停止、早送り、巻き戻し、イジェクトなどの操作を行なうものである。
ディスクトレイ２１１６は、筐体２１１０の前方に突出する突出位置と、筐体２１１０の内方に没入する没入位置とに移動可能に設けられ、突出位置でディスク１００の収容および取出しが可能となるように構成されている。そして、ディスク１００を収容したディスクトレイ２１１６が没入位置に移動することにより筐体２１１０内部に設けられたピックアップ２１２８（図６参照）によってディスク１００に対する記録再生が可能となるように構成されている。
受信部２１１８は、リモコン２１３０から送信される無線制御信号（赤外線信号）を受信するものである。リモコン２１３０を操作することで操作部２１１４を操作するのと同様に遠隔操作ができるようになっている。
【００２０】
図６に示されているように、記憶再生装置２１００は、上記構成に加えてＣＰＵ２１２４、記録再生部２１２６、ピックアップ２１２８を備えている。
ＣＰＵ２１２４は、操作部２１１４、受信部２１１８、記憶部２１２２、記録再生部２１２６、ピックアップ２１２８の制御を司るものである。
記録再生部２１２６は、ピックアップ２１２８によって光ディスク１００から再生される再生信号を処理してディスプレイ２２００によって画面表示可能な信号として出力する機能と、記録しようとする情報の記録信号をピックアップ２１２８に入力しての光ディスク１００に情報を記録する機能とを備えている。
ピックアップ２１２８は、光ビームを光ディスク１００に照射して、情報の記録と再生を行なうものである。すなわち、入力される記録信号に基づいて光ディスクの情報記録領域のリライタブル領域に情報（コンテンツ、後述するコンテンツ識別情報やコンテンツ内容情報）を記録し、光ディスク１００のエンボス領域とリライタブル領域に記録されている情報を読み取って再生信号を出力する。
また、リモコン２１３０と操作部２１１４は、後述するコンテンツ内容情報を手動によって入力することができるように構成されており、その入力されたコンテンツ内容情報は、ＣＰＵ２１２４の制御により記録再生部２１２６からピックアップ２１２８に記録信号として入力され、光ディスクのリライタブル領域のデータ領域に管理されて記録されるようになっている。
なお、上記記憶部２１２２によって特許請求の範囲の記憶手段が構成され、ＣＰＵ２１２４と記録再生部２１２６とピックアップ２１２８とによって特許請求の範囲の記録手段および再生手段が構成されている。また、ＣＰＵ２１２４によって特許請求の範囲の検索手段が構成されている。また、操作部２１１４、リモコン２１３０、受信部２１１８によって特許請求の範囲の操作手段が構成されている。また、ディスプレイ２２００によって特許請求の範囲の表示手段が構成されている。
【００２１】
次に、図５、図６で説明した記録再生システム２０００の動作を説明する。
以下、光ディスクを装填してテレビ番組を記録および再生する場合を例にとって説明する。
光ディスク１００が装填されると、ＣＰＵ２１２４の制御によって、光ディスク１００に対して情報の再生および記録と、記憶部２１２２に対して情報の再生および記録とが行なわれる。
【００２２】
光ディスク１００に記録される、コンテンツ、コンテンツ識別情報、コンテンツ内容情報について説明する。
コンテンツとは、番組そのものの情報であり、画像データ、音声データ、文字データなどを含む情報であり、データ領域１１４２に記録されるものである。
コンテンツ識別情報は、データ領域１１４２に記録されるコンテンツ毎に割り当てられ、少なくとも同一の光ディスク内においては重複しないように付されるものである。コンテンツ識別情報は、例えばＣＰＵ２１２４によって生成され、光ディスク１００のデータ領域１１４２部分に管理されて記録される。
コンテンツ内容情報は、光ディスク１００のデータ領域１１４２に記録されるコンテンツ毎にそのコンテンツの内容に関わる情報、例えば番組のタイトル、キーワード、放送日時、録画時間、番組の概要を示す文字データ、音声データ、画像データ（サムネイル）などを含むものである。コンテンツ内容情報は、例えばユーザーが操作部２１１４やリモコン２１３０を操作することによって生成され、光ディスク１００のデータ領域１１４２部分に管理されて記録される。
また、コンテンツ内容情報の書式（フォーマット）は予め設定しておき、この書式に沿って入力するようにしておけばよい。
【００２３】
ここで、リードイン領域１１４１のエンボス領域１１４Ａに記録される情報とリードアウト領域１１４３に記録される情報について説明する。
図１、図２に示されているように、光ディスク１００のリードイン領域１１４１のうち、エンボス領域１１４Ａは、書き替え不能な情報として例えばディスク一般情報（ディスクタイプ、線速、トラッキング情報など）や調整用信号などが記録されている。したがって、このエンボス領域１１４Ａに対して、記録再生装置２１００から情報を記録する動作は行なわれず、情報の再生のみが行なわれるようになっている。
リードイン領域１１４１のうち、リライタブル領域１１４Ｂに相当する領域は、レーザパワー較正に使用されたり、ディスク欠陥管理情報などが記録されたりする。
リードアウト領域１１４３にも、ディスク欠陥管理情報などのリードアウト情報が記録される。
【００２４】
次に、記録再生装置２１００の記憶部２１２２に記録される情報について説明する。
図７は、本実施の形態における記録再生システムの記録再生装置の記憶部の記録内容を示す説明図である。
図７に示されているように、記憶部２１２２には、光ディスク１００に記録されているディスク識別情報ＩＤ（ＩＤ１、ＩＤ２、ＩＤ３、……）毎に、コンテンツ識別情報ＣＮ（ＣＮ１、ＣＮ２、ＣＮ３、ＣＮ４、ＣＮ５、……）とコンテンツ内容情報ＣＤ（ＣＤ１、ＣＤ２、ＣＤ３、ＣＤ４、ＣＤ５、……）が関連付けられて記録される。
したがって、ＣＰＵ２１２４は、記憶部２１２２に格納された情報に対して検索動作を行なうことができる。例えば、ディスク識別情報ＩＤをキーにしてコンテンツ識別情報ＣＮとコンテンツ内容情報ＣＤを検索することができる。あるいは、コンテンツ内容情報ＣＤをキーにしてディスク識別情報ＩＤとコンテンツ識別情報ＣＮを検索することができる。
【００２５】
これらディスク識別情報ＩＤ、コンテンツ識別情報ＣＮ、コンテンツ内容情報ＣＤの記憶部２１２２に対する記録は、記録再生装置２１００に装填された光ディスク１００にコンテンツが記録される際に行なわれる。
あるいは、記録再生装置２１００に装填された既にコンテンツが記録されている光ディスク１００からコンテンツが再生される際に行なわれる。
また、ＣＰＵ２１２４によるコンテンツ識別情報ＣＮの生成は、同一のディスク識別情報ＩＤに対応する複数のコンテンツ識別情報ＣＤの間で重複しないように、記憶部２１２２に記憶されているディスク識別情報ＩＤとコンテンツ識別情報ＣＮの内容に基づいて行なわれる。
また、ＣＰＵ２１２４によるコンテンツ内容情報ＣＤの生成は、使用者が操作部２１１４やリモコン２１３０を操作して作成、入力する。したがって、本例では、コンテンツ内容情報ＣＤは、操作部２１１４やリモコン２１３０で入力可能な番組名、放送日時、放送時間、番組の概要を示す情報（文字情報）などである。なお、記録再生装置２１００がコンピュータと接続可能に構成されていれば、コンピュータを利用してサムネイルなどの画像情報や音声情報をコンテンツ内容情報ＣＤとして記憶部２１２２に記録することができる。
なお、記憶部２１２２は例えば半導体メモリあるいはハードディスクなどによって構成することができる。そして、記憶部２１２２の記憶容量は有限であるため、記憶部２１２２に記憶されている情報が記憶容量いっぱいになった場合には、記憶部２１２２に記憶されている情報のうち、記録された日時の古い情報から順次削除して新しい情報を記録するように構成すればよい。
【００２６】
次に、図５乃至図７を参照して、光ディスク１００のディスク識別情報、コンテンツ識別情報、コンテンツ内容情報を利用した検索動作について説明する。
図５に示されているように、既にコンテンツが記録された複数の光ディスク１００があるものとする。各光ディスク１００の基盤面１０３に設けられたディスク識別情報２０２は、前述したようにディスク識別情報ＩＤのうちの下４桁の数字で示されている。各ディスク識別情報２０２は、例えば「１２３４」、「５６７８」、「０００１」、「３３３３」、「０１１１」、「６６６６」だとする。
【００２７】
まず、ディスク識別情報２０２が「１２３４」の光ディスク１００に記録されているコンテンツの内容を知りたい場合の検索動作について説明する。
コンテンツの内容を知りたいディスク１００に視認可能に設けられているディスク識別情報２０２「１２３４」をリモコン２１３０（あるいは操作部２１１４）を操作して入力することで、該ディスク識別情報２０２「１２３４」をキーにした検索動作を指示する。
ＣＰＵ２１２４は、受信部２１１８を介して受信した検索動作の指示に応じて、記憶部２１２２に対してディスク識別情報２０２「１２３４」をキーにして検索を行なう。
そして、その検索結果をディスプレイ２２００に出力する。すなわち、図５に表示されているように、上記ディスク識別情報２０２と同じくディスク識別情報ＩＤの下４桁の数字で示されるディスク識別情報２０２「１２３４」が表示されるとともに、コンテンツ識別情報ＣＮ：「３３３」、「４５６」、……が表示される。そして、各コンテンツ識別情報ＣＮに対応してコンテンツ内容情報ＣＤ：「映画「ＡＢＣ」、２００１／１０／０１」、「日本シリーズ「Ｇ対Ｌ」、２０００／１０／１３」……といった情報が一覧表示される。図５の例では、コンテンツ内容情報ＣＤとして番組名と記録開始年月日が含まれている。
したがって、使用者は光ディスク１００を実際に記録再生装置２１００に装填することなく、所望の光ディスク１００に記録されているコンテンツ内容情報ＣＤを知ることができる。
【００２８】
また、あるコンテンツがどの光ディスク１００に記録されているかを知りたいときは次のように検索する。
まず、リモコン２１３０（あるいは操作部２１１４）を操作してコンテンツ内容情報ＣＤに含まれる情報、例えばキーワードをキーにした検索動作を指示する。
ＣＰＵ２１２４は、記憶部２１２２に対して上記キーワードをキーにして検索を行なう。
そして、その検索結果をディスプレイ２２００に出力する。
たとえば、１つあるいは２以上のキーワードに該当して複数のディスク識別情報２２０２がディスプレイ２２００に表示されるととともに、各ディスク識別情報２２０２に対応するコンテンツ識別情報ＣＮおよびコンテンツ内容情報ＣＤがリストで表示される。この際、ディスプレイ２２００に表示されるディスク識別情報は、光ディスク１００に視認可能に設けられているディスク識別情報２０２と同様に例えば４桁の数字で表示される。
したがって、使用者は光ディスク１００に設けられているディスク識別情報２０２に基づいて所望のコンテンツが記録されている光ディスク１００を特定することができる。
つまり、使用者は、光ディスク１００を実際に記録再生装置２１００に装填することなく、所望のコンテンツが記録されているディスク１００をディスプレイに表示されるディスク識別情報２２０２によって知ることができる。
【００２９】
また、光ディスク１００のデータ領域１１４２に記録されている各コンテンツのアドレスなどの情報と、コンテンツ識別情報ＣＮとを関連付けて記録、管理することによって、コンテンツ内容情報を利用して次のような機能を記録再生装置２１００に持たせることができる。
例えば、ディスプレイ２２００上に、あるディスク識別情報２２０２と、そのディスク識別情報２２０２に対応するコンテンツ識別情報ＣＮとコンテンツ内容情報ＣＤが表示されている状態で、再生したいコンテンツ識別情報ＣＮを例えば操作部２１１４などの操作でＣＰＵ２１２４に入力しておく。
次いで表示されているディスク識別情報２２０２に対応する光ディスク１００を記録再生装置２１００に装填する。
ＣＰＵ２１２４は、装填された光ディスク１００に対して上記指定したコンテンツ識別情報ＣＮに関連付けられたコンテンツのアドレスが集中管理されているデータ領域１１４２から読み出して、ピックアップ２１２８、記録再生部２１２６を制御してコンテンツの再生動作を行なう。
【００３０】
また、コンテンツ内容情報ＣＤにコンテンツの記録されている記録時間が含まれている場合には、ＣＰＵ２１２４によって光ディスク１００の未記録領域の時間から各コンテンツの記録時間の総和を減算することにより、記録可能な時間を算出して記録再生装置の表示部２１２０に表示させるように構成することが可能である。
また、残量と記録すべきコンテンツの時間とを比較演算して、記録可能な光ディスクの選択を行なうように構成することもできる。
また、選択した光ディスクにコンテンツがすべて記録できるように記録品位を調整するように構成することもできる。
【００３１】
なお、コンテンツ識別情報ＣＮおよびコンテンツ内容情報ＣＤは、上述したように使用者が操作部２１１４やリモコン２１３０を操作して作成、入力する他、放送局から番組とともに送信される付加的な情報を利用して作成することも可能である。
また、市販ソフト、撮影済みのビデオカセットからコンテンツを光ディスクに記録する際にも、これらのソフトやビデオカセットに記録されている付加的な情報を利用してコンテンツ識別情報ＣＮおよびコンテンツ内容情報ＣＤを作成することも可能である。
以下、このような付加的な情報について説明する。
【００３２】
図８は、放送コンテンツ、市販ソフト、記録済みビデオカセットに記録されている付加的な情報の説明図である。
まず、放送コンテンツを光ディスク１００に記録する場合について説明する。
ＢＳデジタル放送、ＣＳデジタル放送、地上波デジタル放送などは、ＥＰＧ（電子プログラム情報）が付加情報としてコンテンツに付加されている。このＥＰＧには、その番組に固有に割り当てられたコンテンツＩＤと、その番組の内容を示す内容情報とが含まれている。この内容情報は、番組名、番組名、放送時間帯、放送時間などの情報を含むものである。
なお、図８において、内容情報は、現在設定されている設定済み情報と、その他の追加情報とから構成され、この追加情報は使用者が追加して作成できる情報である。
したがって、上記コンテンツＩＤをコンテンツ識別情報ＣＮとして利用し、上記内容情報をコンテンツ内容情報ＣＤとして利用することが可能である。
また、アナログ地上波など上記ＥＰＧに相当する付加情報がない場合には、コンテンツ識別情報ＣＮを記録再生装置２１００で生成し、コンテンツ内容情報ＣＤを操作部２１１４やリモコン２１３０から入力する必要がある。
【００３３】
次に、市販ソフトを光ディスク１００に記録する場合について説明する。
市販ソフトのうち、上記ＥＰＧと同様のコンテンツＩＤや内容情報を含む付加情報が記録されてもの（コピー権利付で販売されているもの）に関しては、上述したＢＳデジタル放送の場合と同様にこれらコンテンツＩＤや内容情報を利用してコンテンツ識別情報ＣＮやコンテンツ内容情報ＣＤを光ディスク１００に記録することができる。
また、市販ソフトのうち、付加情報が記録されていないもの（例えば市販のビデオテープなど）に関しては、コンテンツ識別情報ＣＮを記録再生装置２１００で生成し、コンテンツ内容情報ＣＤを操作部２１１４やリモコン２１３０から入力する必要がある。
【００３４】
次に、デジタルビデオ（ＤＶ）などによる撮影済みのコンテンツやユーザーによって編集されたコンテンツを光ディスク１００に記録する場合について説明する。
これらの場合には、上述したＥＰＧに相当する付加情報がないため、これらについてはコンテンツ識別情報ＣＮを記録再生装置２１００で生成し、コンテンツ内容情報ＣＤを操作部２１１４やリモコン２１３０から入力する必要がある。
【００３５】
（外部から視認可能なディスク識別情報の他の形態）
上述した実施の形態では、ディスク識別情報ＩＤを光ディスク１００に記録するとともに、ディスク識別情報２０２を外部から視認可能な箇所である基盤面１０３に設けた。
しかしながら、以下に説明するように、ディスク識別情報２０２を光ディスク１００の基盤面１０３に設けた上に、あるいは、基盤面１０３に設ける代わりに光ディスク１００に上記とは別の形態でディスク識別情報を記録してもよい。
図９は、ディスク識別情報を記録する手段を光ディスクに設けた実施の形態を示す説明図であり、図９（Ａ）はシールを使用した記録例を示す斜視図、図９（Ｂ）はバーコードラベルを使用した記録例を示す斜視図、図９（Ｃ）はメモリを使用した例を示す斜視図である。
すなわち、図９（Ａ）に示すように、光ディスク１００に設けたディスク識別情報２０２と同じ形態（文字の組み合わせで表示）のディスク識別情報３０１が印刷されたシール３００Ａを光ディスク１００の製造工程で外部から視認可能な箇所である基盤面１０３に貼付することができる。
【００３６】
図９（Ｂ）に示すように、光ディスク１００の光ディスク１００に記録されているディスク識別情報ＩＤをバーコードの形態で示すディスク識別情報３０２が印刷されたバーコードラベル３００Ｂを光ディスク１００の製造工程で外部から視認可能な箇所である基盤面１０３に貼付することができる。
この場合、記録再生装置２１００またはリモコン２１３０にバーコード読取り装置を設け、あるいは、専用のバーコード読取り装置を記録再生装置と別に設け、このバーコード読取り装置によって上記バーコードラベル３００Ｂからディスク識別情報３０２を読み取るように構成することができる。この場合には、光ディスク１００をピックアップで再生すること無くバーコードラベル３００Ｂからディスク識別情報３０２を読み取ることができる。
【００３７】
図９（Ｃ）に示すように、光ディスク１００に記録されているディスク識別情報ＩＤを磁気的に記録した磁気記録部３００Ｃ（特許請求の範囲の副記憶手段に相当）を光ディスク１００の製造工程で基盤面１０３上に設けることができる。
この場合、記録再生装置２１００に磁気記録部３００Ｃの情報読取りが可能な読取り装置を設け、この読取り装置によって上記磁気記録部３００Ｃからディスク識別情報ＩＤを読み取るように構成することができる。この場合には、光ディスク１００をピックアップで再生すること無く磁気記録部３００Ｃからディスク識別情報を読み取ることができる。
【００３８】
また、図示はしないが、光ディスク１００に記録されているディスク識別情報ＩＤを格納したメモリ（特許請求の範囲の副記憶手段に相当）をディスク１００の製造工程で基盤面１０３上に設けることができる。
この場合、記録再生装置２１００にメモリの情報読取りが可能なメモリ読取り装置を設け、このメモリ読取り装置によって上記メモリからディスク識別情報ＩＤを読み取るように構成することができる。この場合には、光ディスク１００をピックアップで再生すること無くメモリからディスク識別情報を読み取ることができる。
上記メモリは、接続端子が外部に露出されたいわゆる接触式であっても、接続端子が露出されないいわゆる非接触式の形態のいずれであってもよい。
【００３９】
また、図４で示した実施の形態においては、ディスク識別情報２０２を光ディスク１００の基盤面１０３にレーザーマーキング装置Ｌによってレーザービームを照射することによって設けた例を説明したが、光ディスクの基盤面１０３の表面にレーザーマーキングに適したマーキング用材料からなるマーキング層を予め形成しておき、このマーキング層に対してレーザーマーキングを行なうように構成することもできる。
図１０（Ａ）はマーキング層を形成した光ディスクの説明図、（Ｂ）は（Ａ）の光ディスクの構成を示す断面図である。
光ディスク１００は内部に記録層１０４が形成されており、基盤面１０３の表面には環状のマーキング層１０５が形成されている。
このようにマーキング層１０５を光ディスク１００に設けた場合には、レーザーマーキング装置Ｌからマーキング層１０５に照射されたレーザビームによってマーキング層１０５にディスク識別情報４０２が記録されるため、基盤面１０３にレーザーマーキングを行なう場合に比べて記録をより適切に行なうことができる。
マーキング層１０５に対するディスク識別情報４０２の記録形態は、数字の形態（符号４０２Ａ）であってもよいし、バーコード（符号４０２Ｂ）であってもよい。図１０（Ａ）に示すように、ディスク識別情報をマーキング層１０５の周方向に沿って間隔をおいて複数個設ければ、どの方向から見てもディスク識別情報を視認することが容易となる利点がある。
【００４０】
（光ディスクを収容するケース）
図１１は光ディスクを収容するケースの構成例を示す説明図である。
ケース５００は、本体５０２と蓋５０４から構成されている。
本体５０２は、光ディスク１００を収容する収容凹部が形成されている。本体５０２の四辺のうち１つの辺の端面５０２２には光ディスク１００の基盤面１０３に設けられたディスク識別情報２０２と同じディスク識別情報５０２４がケース５００の外部から視認可能に設けられている。
蓋５０４は、矩形板状に構成され本体５０２にヒンジ部を介して取着され前記収容凹部を開閉するように構成されている。蓋５０４の表面には光ディスク１００の基盤面１０３に設けられたディスク識別情報２０２と同じディスク識別情報５０４２がケース５００の外部から視認可能に設けられている。
前記本体５０２の収容凹部に光ディスク１００を収容した状態で蓋５０４を閉じることによりケース５００内に光ディスク１００が収納される。
【００４１】
したがって、図１２（Ａ）に示すように、ケースの蓋にディスク識別情報を設けた場合には、ケース５００の蓋５０４が不透明な材料で形成され内部の光ディスク１００を視認できない場合でも光ディスク１００のディスク識別情報２０２を容易に視認することができる。
また、図１２（Ｂ）に示すように、ケース５００の端面５０２２にディスク識別情報５０２４を設けた場合には、図１２（Ｃ）に示すように複数のケース５００を各端面５０２２の位置を揃えて、ケース５００の厚さ方向に重ねて並べることにより各端面５０２２に設けたディスク識別情報５０２４を一目で視認することができる。
なお、図１２（Ｄ）に示すように、ケース５００の蓋５０４が透明な材料から形成されていれば、蓋５０４の内側にある光ディスク１００のディスク識別情報２０２を無論透視することもできる。また、図１３に示すように、透明な樹脂材料から形成されたポケット６０２を冊子状に結合して構成されたディスク収容ファイル６００を用いた場合、ポケット６０２内に収容された光ディスク１００のディスク識別情報２０２をポケット６０２の外部から透視することもできる。
【００４２】
また、外部から視認可能なディスク識別情報を設ける光ディスクの箇所は、光ディスクの厚さ方向のいずれか一方の面の他、図１４に示すように、光ディスク１００の径方向外方に面した端面１０６であってもよく、上述した場合と同様に図１４（Ａ）に示すようにディスク識別情報は数字の組み合わせによって示されていても、図１４（Ｂ）に示すようにバーコードで示されていてもよい。
【００４３】
また、叙述した実施の形態では、ディスクとして相変化型光ディスクを用いたが、本発明はこれに限定されるものではなく、例えばＭＤなどで使用される光磁気ディスク、あるいはＣＤ−Ｒなどで使用される色素変化型ディスクに適用することができることはもちろんである。
【００４４】
（半導体記録装置）
上述した実施の形態では、光ディスクに該光ディスク固有のディスク識別情報を割り当てた場合について説明した。例えばメモリカードのように記憶手段と該記憶手段を収容する本体とが一体的に設けられた半導体記録装置においても、該半導体記録装置に固有の識別情報を割り当てることが考えられる。
この場合にも、識別情報を半導体記録装置の外部から視認可能に設けることは、半導体記録装置に格納されているコンテンツを再生することなく、どのようなコンテンツがどの半導体記録装置に記録されているかを容易に知る上で有効である。
【００４５】
以下、半導体記録装置に識別情報を視認可能に設けた構成について説明する。
図１５（Ａ）は識別情報を外部から視認可能に設けた半導体記録装置の一例を示す構成図である。
半導体記録装置３０００は、コンテンツを含む情報の書き換えが可能な半導体メモリなどから構成される記憶手段３００２と、前記記憶手段３００２を収容する本体３００４とが一体的に構成されている。
前記記憶手段３００２には、予め前記半導体記録装置３０００に固有に割り当てられた識別情報が格納されている。
前記本体３００４は、厚さを有する矩形板状に構成され、厚さ方向の一方の面３００５に複数の端子３００６が外方に露出して設けられている。各端子３００６は、記憶手段３００２に接続され、これら端子３００６を介して記憶手段３００２に対する給電、情報の記録および再生が行なわれるように構成されている。
【００４６】
前記本体３００４の外部から視認可能な箇所である面３００５に前記識別情報３００８が設けられている。前記面３００５に記録する識別情報は、ユーザーが所有する複数の半導体記録装置３０００の中で重複することがなく、かつ、ユーザーが目視して簡単に識別できればよいので、例えば３、４桁程度の数字が表示されればよい。したがって、半導体記録装置３０００に記録されている識別情報のうち、下３桁か４桁を面３００５に記録すれば実用的に差し支えはないものと考えられる。
すなわち、前記識別情報がＮ桁の文字の組み合わせによって構成されているとすれば、本体３００４に設けられる識別情報３００８は、Ｎ桁の文字の組み合わせのうち、最下位桁を含む下Ｍ桁（ただしＭ＜Ｎ）の文字の組み合わせで示されていればよい。
前記識別情報の記録方法としては、彫刻、超音波ペンマーキング、エアペンマーキング、インクジェット印刷など任意の方法を採用することができる。
また、外部から視認可能に設けられる識別情報は、前記本体に貼付されたシールに設けられていてもよい。
また、外部から視認可能に設けられる識別情報は、バーコードとして表示されていてもよい。
また、外部から視認可能に設けられる識別情報は、光学的に再生可能に構成されていてもよい。
また、図１５（Ｂ）に示すように、外部から視認可能に設けられる識別情報３００８は、半導体記録装置３０００の本体３００４の四辺のうちの一辺の端面３００９に設けてもよい。
【００４７】
このように構成された半導体記録装置３０００においても、半導体記録装置固有に割り当てられた識別情報が記録されているので、前記記憶手段３００２にコンテンツを記録するとともに、コンテンツを識別するコンテンツ識別情報およびコンテンツの内容に関するコンテンツ内容情報を記憶手段３００２に記録しておけば、半導体記録装置用の記録再生装置によってこれらコンテンツ識別情報およびコンテンツ内容情報を識別情報と関連付けて記憶させることが可能となる。
また、識別情報は、外部から視認可能に本体３００４の箇所に設けられているので、半導体記録装置のコンテンツを再生することなく、どのようなコンテンツがどの半導体記録装置に記録されているかを容易に知ることが可能となる。
【００４８】
【発明の効果】
以上説明したように本発明の記録再生システムによれば、記録再生装置の記憶手段にはディスク識別情報と関連付けてコンテンツ識別情報、コンテンツ内容情報が記憶されている。したがって、検索手段によって、外部から視認できるディスク識別情報に基づいて記憶手段のコンテンツ識別情報およびコンテンツ内容情報を検索したり、コンテンツ内容情報に基づいて前記外部から視認できるディスク識別情報を検索することができる。
したがって、ディスクのコンテンツを再生することなく、どのようなコンテンツがどのディスクに記録されているかを容易に知ることができる。
【図面の簡単な説明】
【図１】  本実施の形態における光ディスクの構成を示す斜視図である。
【図２】  本実施の形態における光ディスクの物理フォーマットを説明する概要図である。
【図３】  本実施の形態におけるディスクの製造工程の説明図である。
【図４】  ディスク識別情報を光ディスクとディスクケースに記録する工程の説明図である。
【図５】  本実施の形態における記録再生システムの全体構成図である。
【図６】  本実施の形態における記録再生システムの構成を示すブロック図である。
【図７】  本実施の形態における記録再生システムの記録再生装置の記憶部の記録内容を示す説明図である。
【図８】  放送コンテンツ、市販ソフト、記録済みビデオカセットに記録されている付加的な情報の説明図である。
【図９】  ディスク識別情報を記録する手段をディスクに設けた実施の形態を示す説明図であり、（Ａ）はシールを使用した記録例を示す斜視図、（Ｂ）はバーコードラベルを使用した記録例を示す斜視図、（Ｃ）はメモリを使用した例を示す斜視図である。
【図１０】  マーキング層を形成した光ディスクの説明図、（Ｂ）は（Ａ）の光ディスクの構成を示す断面図である。
【図１１】  光ディスクを収容するケースの構成例を示す説明図である。
【図１２】  （Ａ）、（Ｂ）、（Ｃ）は光ディスクをケースに収容した状態を示す説明図、（Ｄ）はケースを並べた状態を示す説明図である。
【図１３】  ディスク収容ファイルに光ディスクが収容された状態を示す説明図である。
【図１４】  （Ａ）は光ディスクの端面に数字の組み合わせの形態で示されたディスク識別情報を設けた状態を示す説明図、（Ｂ）は光ディスクの端面にバーコードの形態で示されたディスク識別情報を設けた状態を示す説明図である。
【図１５】  （Ａ）は半導体記録装置の面に識別情報を設けた状態を示す説明図、（Ｂ）は半導体記録装置の端面に識別情報を設けた状態を示す説明図である。
【符号の説明】
１００……光ディスク、１０３……基盤面、１１４……情報記録領域、１１３……トランジット領域、１１４Ａ……エンボス領域、１１４Ｂ……リライタブル領域、１１４１……リードイン領域、１１４２……データ領域、１１４３……リードアウト領域、２００……ケース、ＩＤ、２０２、３０２、２２０２……ディスク識別情報、ＣＮ……コンテンツ識別情報、ＣＤ……コンテンツ内容情報、２０００……記録再生システム、２１００……記録再生装置、２１１４……操作部、２１２２……記憶部、２１２４……ＣＰＵ、２１１８……受信部、２１２６……記録再生部、２１２８……ピックアップ、２１３０……リモコン、２２００……ディスプレイ、３０００……半導体記録装置、３００２……記憶手段、３００４……本体、３００８……識別情報。
【図１】
0004244551.tif 000002
【図２】
0004244551.tif 000003
【図３】
0004244551.tif 000004
【図４】
0004244551.tif 000005
【図５】
0004244551.tif 000006
【図６】
0004244551.tif 000007
【図７】
0004244551.tif 000008
【図８】
0004244551.tif 000009
【図９】
0004244551.tif 000010
【図１０】
0004244551.tif 000011
【図１１】
0004244551.tif 000012
【図１２】
0004244551.tif 000013
【図１３】
0004244551.tif 000014
【図１４】
0004244551.tif 000015
【図１５】
0004244551.tif 000016